(57)【特許請求の範囲】
【請求項１】
建物の既存の陸屋根上に該陸屋根を覆う新設屋根が設けられた陸屋根建物の屋根改修構造であって、
前記新設屋根は下部梁が備えられた骨組み構造で形成され、
前記骨組み構造となる複数の構造体が前記陸屋根上に並設され、
前記下部梁と前記陸屋根とを連結固定するための連結支持部材は、前記建物の外壁によって支持され前記建物の外壁に沿って上方に突出する突出壁部に設けられ、
前記下部梁の水平方向の移動を制限する傾斜部材によって前記下部梁と前記陸屋根とが接続され、
前記傾斜部材には、予め位置出しされた高さ位置又は前記連結支持部材と前記新設屋根の下部梁の下面とが接触する位置に合わせて前記傾斜部材の高さを調整するための調整手段が備えられていることを特徴とする陸屋根建物の屋根改修構造。
【請求項２】
前記連結支持部材は、断面略Ｕ字状に形成され、前記突出壁部の上部に固定されて、前記下部梁を受けてこれを支持することを特徴とする請求項１に記載の屋根改修構造。
【請求項３】
前記傾斜部材は、前記下部梁に対して所定の傾斜角となる傾斜部と、前記接続する際に前記傾斜角を変更できるように、適宜変形させることができる連結片部とを有していることを特徴とする請求項１又は２に記載の屋根改修構造。
【請求項４】
前記調整手段は、前記陸屋根に対して高さ調整可能に固定された束と、該束に対して高さ調整可能に固定された大引とを有し、
前記傾斜部材は前記大引により支持されていることを特徴とする請求項１〜３いずれか一項に記載の屋根改修構造。
【請求項５】
前記新設屋根の骨組み構造となる一つの構造体が複数の部分構造体に分割されていることを特徴とする請求項１乃至４のいずれか一項に記載の陸屋根建物の屋根改修構造。
【請求項６】
前記新設屋根の下部梁が前記陸屋根よりも外側に突出して設けられ、該突出部分は前記新設屋根の内部の換気が可能となるように形成されていることを特徴とする請求項１乃至
５のいずれか一項に記載の陸屋根建物の屋根改修構造。
【請求項７】
前記陸屋根に断熱材が敷設されていることを特徴とする請求項１乃至６のいずれか一項に記載の陸屋根建物の屋根改修構造。
【請求項８】
前記陸屋根の突出壁部に前記連結支持部材を固定し、前記陸屋根上に前記傾斜部材を設けると共に前記傾斜部材に設けられた前記調整手段により予め位置出しされた高さ位置又は前記連結支持部材と前記新設屋根の下部梁の下面とが接触する位置に合わせて前記傾斜部材の高さを調整し、前記新設屋根を前記陸屋根上に設置して前記新設屋根を前記連結支持部材を介して連結固定すると共に前記新設屋根を前記傾斜部材に支持させることを特徴とする請求項１乃至７のいずれか一項に記載の陸屋根建物の屋根改修構造の構築方法。
【発明の詳細な説明】
【技術分野】
【０００１】
この発明は、建物の陸屋根上に新設屋根を設ける陸屋根建物の屋根改修構造及びその構築方法に関するものである。
【背景技術】
【０００２】
従来、鉄筋コンクリートのマンションやアパート等の建物の陸屋根では、防水構造としてシート防水やアスファルト防水が一般的に行われてきた。
【０００３】
しかし、これらの防水層が老朽化した場合、亀裂や剥離等の発生により防水層下部へ雨水等が浸入し、場合によっては室内への漏水が発生し、居住者の生活に不都合となることがある。
【０００４】
このような事情に鑑みて従来から、建物の防水性を改善するため、既存の建物の陸屋根上に新規な屋根を新設する改修工事が行われている。
【０００５】
この陸屋根の改修構造としては、例えば、図１４に示すように、既存の建物１の陸屋根１ａ上にトラス構造体からなる架台２を設置して、この架台２上に新設屋根を形成するものが知られている（特許文献１を参照）。
【０００６】
この架台２は断面略笠形状に形成され、この架台２上に新設屋根部３を配設することで、屋根意匠が陸屋根から切妻屋根に改修されている。
【０００７】
また、架台２は、左右の架台部２ａ、２ｂを継ぎ部材２ｃおよび連結材２ｄで断面略笠形状に組み上げて形成され、この左右の架台部２ａ、２ｂはそれぞれ上弦材２ｅと下弦材２ｆとラチス材２ｇからなる立体トラス構造体となる。
【０００８】
更に、架台２における左右の軒先側の下接合部７には脚部８が垂設され、この脚部８は陸屋根１ａ上の台座部９に取り付け固定されている。
【特許文献１】特開２００５−９８０３５号公報
【発明の開示】
【発明が解決しようとする課題】
【０００９】
しかしながら、上記した従来の陸屋根の改修構造では、新設屋根が脚部８と、陸屋根１ａ上の台座部９を介してのみ支持される構造となっているので、新設屋根から陸屋根１ａに対して加わる荷重が脚部８と、陸屋根１ａ上の台座部９とに集中してしまい、耐力に問題がある。
【００１０】
また、既存の陸屋根建物においては、屋根面となる屋根スラブ部分に新設屋根から加わる鉛直荷重を支持できるほどの耐力が備えられていないという問題がある。
【００１１】
さらに、建設後年月を経た既存の陸屋根建物においては、屋根面のどの位置に梁や壁が設けられているかを特定することが困難となっている場合があるので、新設屋根を支持させる位置を特定することができないという問題がある。
【００１２】
一方、新設屋根を既存の陸屋根のパラペット部に設置して支持させる陸屋根の改修方法も従来から行われている。
【００１３】
しかしながら、元々、パラペット部には、新設屋根の水平方向に加わる水平力を支持させるほどの耐力が備えられていないので、パラペット部自体の補強や陸屋根に新たな渡し梁を設けるなど補強工事を行う必要があり、施工性が悪くなり、コストも増大するという問題があった。
【００１４】
そこで本発明は、既存の陸屋根建物への負担を最小限に抑えた屋根改修構造を形成すると共に、工期の短縮、及び低コストの施工が可能な陸屋根建物の屋根改修構造及び屋根改修方法を提供することを目的とする。
【課題を解決するための手段】
【００１５】
前記目的を達成するために本発明は、建物の既存の陸屋根上に該陸屋根を覆う新設屋根が設けられた陸屋根建物の屋根改修構造であって、前記新設屋根は下部梁が備えられた骨組み構造で形成され、前記骨組み構造となる複数の構造体が前記陸屋根上に並設され、前記下部梁と前記陸屋根とを連結固定するための連結支持部材は、前記建物の外壁によって支持され前記建物の外壁に沿って上方に突出する突出壁部に設けられ、前記下部梁の水平方向の移動を制限する傾斜部材によって前記下部梁と前記陸屋根とが接続され、前記傾斜部材には、予め位置出しされた高さ位置又は前記連結支持部材と前記新設屋根の下部梁の下面とが接触する位置に合わせて前記傾斜部材の高さを調整するための調整手段が備えられていることを特徴とする。
【００１６】
また、前記連結支持部材は、断面略Ｕ字状に形成され、前記突出壁部の上部に固定されて、前記下部梁を受けてこれを支持することとしてもよい。
【００１７】
前記傾斜部材は、前記下部梁に対して所定の傾斜角となる傾斜部と、前記接続する際に前記傾斜角を変更できるように、適宜変形させることができる連結片部とを有していてもよい。
【００１８】
また、前記調整手段は、前記陸屋根に対して高さ調整可能に固定された束と、該束に対して高さ調整可能に固定された大引とを有し、前記傾斜部材は前記大引により支持されていてもよい。
また、前記新設屋根の骨組み構造となる一つの構造体が複数の部分構造体に分割されていてもよい。
【００１９】
また、前記新設屋根の下部梁が前記陸屋根よりも外側に突出して設けられ、該突出部分は前記新設屋根の内部の換気が可能となるように形成されていてもよい。
【００２０】
また、前記陸屋根に断熱材が敷設されていてもよい。
【００２１】
また、本発明は陸屋根建物の屋根改修構造の構築方法であり、前記陸屋根の突出壁部に前記連結支持部材を固定し、前記陸屋根上に前記傾斜部材を設けると共に前記傾斜部材に設けられた前記調整手段により予め位置出しされた高さ位置又は前記連結支持部材と前記新設屋根の下部梁の下面とが接触する位置に合わせて前記傾斜部材の高さを調整し、前記新設屋根を前記陸屋根上に設置して前記新設屋根を前記連結支持部材を介して連結固定すると共に前記新設屋根を前記傾斜部材に支持させることを特徴とする。
【発明の効果】
【００２２】
本発明によれば、陸屋根を覆うように新設屋根を設置することにより、既存の陸屋根部分に雨水が浸入しにくく、防水性が良い。
【００２３】
また、本発明によれば、新設屋根の骨組み構造となる複数の構造体を陸屋根上に並設することにより、新設屋根を設けたことによって既存の陸屋根に作用する荷重の作用点を分散させることができる。
【００２４】
また、本発明によれば、連結支持部材を建物の外壁によって支持される陸屋根の被支持部分に設けることにより、他の場所よりも耐力の大きい陸屋根の被支持部分に新設屋根から加わる鉛直方向の荷重を支持させることができる。
【００２５】
また、前記被支持部分を前記建物の外壁に沿って上方に突出する突出壁部とし、前記突出壁部に前記連結支持部材を設けると共に前記下部梁の水平方向の移動を制限する傾斜部材によって前記下部梁と前記陸屋根とを接続することにより、下部梁に加わる水平力を主に傾斜部材によって支持させて、突出壁部に加わる水平力を軽減することができる。
【００２６】
これにより、元々、新設屋根を設置することを想定していない陸屋根の突出壁部などを補強することなく、工期の短縮、及び低コストの施工が可能となる。
【００２７】
しかも、新設屋根の水平方向に加わる荷重を傾斜部材を介して陸屋根に分散して伝えることができる。
【００２８】
また、予め位置出しされた高さ位置又は連結支持部材と新設屋根の下部梁の下面とが接触する位置に合わせて傾斜部材の高さを調整するための調整手段を傾斜部材に備えることにより、新設屋根の骨組み構造である構造体を設置する前に予め構造体の設置高さを位置出しすることができる。
【００２９】
また、新設屋根の骨組み構造となる一つの構造体を複数の部分構造体に分割することにより、分割した部分構造体自体は小さく軽量化されるので、既存の建物に住人がいる状態で行われる改修工事において構造体などを搬入する搬入路や揚上重機などの大きさが制限されても、その制限内で容易に施工を行うことができる。
【００３０】
また、新設屋根の下部梁を突出壁部から建物の外側に突出して設けることにより、その突出部分において新設屋根内などの空気の排気若しくは外気の吸気を行うことができ、新設屋根内と既存の陸屋根と新設屋根との間の空間を良好に換気することができる。
【００３１】
また、陸屋根に断熱材を敷設することにより、新設屋根に照射される太陽光の熱が、陸屋根と新設屋根との間の屋根裏空間から建物の居室内に伝わらないようにすることができる。
【発明を実施するための最良の形態】
【００３２】
以下、本発明に係る陸屋根建物の屋根改修構造の実施の形態を図面に基づいて説明する。
【００３３】
図１は本発明の実施の形態に係る屋根改修構造１０の構成を示す断面図である。
【００３４】
尚、本発明の実施の形態に係る屋根改修構造１０は、団地やマンション等の鉄筋コンクリート造の共同住宅を対象に設けられるものである。
【００３５】
図１に示すように、既存の建物１１の上部には陸屋根１２が設けられている。そして、この陸屋根１２上に断面略笠形状の新設屋根１３が設置されている。
【００３６】
この陸屋根１２は、建物１１の外壁１１ａ、１１ａから延出されるように設けられた屋根スラブ１２ａと、被支持部分として形成された突出壁部としてのパラペット部１２ｃ、１２ｃとから概略構成されている。
【００３７】
また、この屋根スラブ１２ａは、外壁１１ａ、１１ａ間に略水平に設けられている。
【００３８】
尚、この屋根スラブ１２ａ部分は鉄筋コンクリート造で、剛床などと同じように面内方向に関して強いせん断強度を有しているので、特に屋根スラブ１２ａの水平方向に加わる荷重に対して大きな耐力を有している。
【００３９】
また、パラペット部１２ｃ、１２ｃは建物１１の外壁１１ａ、１１ａの上部から新設屋根１３に向けて突出するようにそれぞれ延出されている。
【００４０】
さらに、パラペット部１２ｃ、１２ｃの断面略台形状の頭部１２ｄ、１２ｄには、その頭部の上端面や側面に沿って防水層１５、１５がそれぞれ被覆されている。
【００４１】
また、この頭部１２ｄ、１２ｄの上端面に被覆された防水層１５、１５の上面には、新設屋根１３と陸屋根１２とを連結するための連結支持部材としてのパラペット金具１６、１６がその傾斜に沿ってそれぞれ設けられている。
【００４２】
このパラペット金具１６は、図３（ａ）に示すように、断面略Ｕ字状に形成されている。
【００４３】
また、パラペット金具１６の底面部の略中央には、その底面部を板厚方向に貫通する孔が設けられている。
【００４４】
さらに、パラペット金具１６の底面部の両側から上方に立ち上がるように延出された板状の側壁には、その上端角部の縁部に沿って側壁を貫通する複数の孔がそれぞれ設けられている。
【００４５】
一方、図１に示すように、陸屋根１２の屋根スラブ１２ａ上には、一方の外壁１１ａ側から他方の外壁１１ａ側に向けて傾斜する下地層１２ｂが設けられている。
【００４６】
また、この下地層１２ｂ上には、この下地層１２ｂの傾斜する上面を覆うように防水シート１４が敷設されている。
【００４７】
しかも、この防水シート１４の両端部は、パラペット部１２ｃ、１２ｃの内側面に沿って立ち上がるようにそれぞれ延出されている。
【００４８】
また、この延出された防水シート１４の両端部よりも内側には、この両端部に沿って立ち上がる断熱材１７、１７がそれぞれ設けられている。
【００４９】
さらに、断熱材としてのグラスウールが防水シート１４上に敷設されることにより断熱層１８が所定厚さを有するように形成されている。尚、断熱層１８の両端は断熱材１７、１７と隙間なく形成されている。
【００５０】
一方、新設屋根１３の骨組み構造の一部分である構造体としてのトラス構造体１３ａは木製部材から断面略笠状に形成されている。
【００５１】
尚、図２に示すように、このトラス構造体１３ａは、その長手方向が建物１１の陸屋根１２上において、図２の水平方向、即ち、建物１１の奥行き方向に直交するように設置されている。
【００５２】
しかも、各トラス構造体１３ａ、・・・はそれぞれの長手方向が平行になるように配置されていると共に、各トラス構造体１３ａ、・・・間に所定の隙間を有するように並設されている。
【００５３】
他方、図１に示すように、トラス構造体１３ａは、部分構造体としての部分トラス構造体１３ｂ、１３ｂの２つに分割されている。
【００５４】
また、この部分トラス構造体１３ｂ、１３ｂは、新設屋根１３の頂上部分を境に左右対称に組み立てられている。
【００５５】
さらに、この部分トラス構造体１３ｂ、１３ｂは下部梁としての下部水平梁１３ｃ、１３ｃと、傾斜部材１３ｄ、１３ｄと、鉛直材１３ｅ、１３ｅとから断面直角三角形状にそれぞれ形成されている。
【００５６】
しかも、この部分トラス構造体１３ｂ、１３ｂの骨組み内部には、下部水平梁１３ｃ、１３ｃと傾斜部材１３ｄ、１３ｄに沿ってジグザグ状に腹材１３ｆ、・・・がそれぞれ配設されている。
【００５７】
そして、下部水平梁１３ｃ、１３ｃ、傾斜部材１３ｄ、１３ｄ、及び腹材１３ｆ、・・・同士は連結プレートを介して互いに連結されていると共に、部分トラス構造体１３ｂ、１３ｂ同士も後述する連結プレート３２、・・・を介して一体に連結されている。
【００５８】
尚、図１に示すトラス構造体１３ａの表面側だけでなく、裏面側においても同様に下部水平梁１３ｃ、１３ｃ、傾斜部材１３ｄ、１３ｄ、及び腹材１３ｆ、・・・同士が連結プレートにより連結されている。
【００５９】
他方、下部水平梁１３ｃ、１３ｃはそれぞれ建物１１の水平方向に沿って延び且つ外壁１１ａ、１１ａから建物１１の外側にそれぞれ突出している。
【００６０】
また、傾斜材１３ｄ、１３ｄは、トラス構造体１３ａの頂上に向けて傾斜するようにそれぞれ設けられていると共に、その一端部は下部水平梁１３ｃ、１３ｃの長手方向の外側縁部に連結されている。
【００６１】
さらに、傾斜材１３ｄ、１３ｄの他端部は、下部水平梁１３ｃ、１３ｃからトラス構造体１３ａの頂上に向けて垂設された鉛直材１３ｅ、１３ｅの上端部にそれぞれ連結されている。
【００６２】
また、鉛直材１３ｅ、１３ｅの下端部は下部水平梁１３ｃ、１３ｃの長手方向の内側縁部にそれぞれ連結されている。
【００６３】
そして、傾斜材１３ｄ、１３ｄ上にはその傾斜に沿って、防水シートなどにより防水加工された下地板１９、１９がそれぞれ設けられている。
【００６４】
尚、図示は省略したが、この下地板１９、１９は、陸屋根１２上の隣接するトラス構造体１３ａ、・・・の傾斜材１３ｄ、・・・同士に跨り且つ各傾斜材１３ｄ、・・・に対して直交するように設けられた下地板受にも支持されるようになっている。
【００６５】
他方、下地板１９、１９の板面上にはその傾斜に沿って瓦がそれぞれ並設されている（図示せず）。
【００６６】
また、下部水平梁１３ｃ、１３ｃの外壁１１ａ、１１ａから建物１１の外側に突出する軒部分には、板状の軒天２０、２０が断面略矩形状の保持部材２１、・・・を介して下部水平梁１３ｃ、１３ｃと略平行にそれぞれ設けられている。
【００６７】
さらに、この軒天２０、２０の外壁１１ａ、１１ａ側端部と外壁１１ａ、１１ａとの間には換気用の隙間ｄ、ｄがそれぞれ設けられている。
【００６８】
一方、下部水平梁１３ｃ、１３ｃの長手方向の外側端部には、この外側端部に沿って下方に突出する板状の鼻隠し２２、２２がそれぞれ設けられている。
【００６９】
しかも、この鼻隠し２２、２２の外側には樋２３、２３が図示しない保持部材を介してそれぞれ取付けられている。
【００７０】
他方、下部水平梁１３ｃ、１３ｃの長手方向の内側縁部には、傾斜部材としてのトラス受金具２４、２４の上端部が固定され、下端部が陸屋根１２の下地層１２ｂ上に固定されている。
【００７１】
このトラス受金具２４は、図３（ｂ）に示すように、下部水平梁１３ｃに固定される断面略Ｕ字状の上部固定端２４ａと、断面略Ｕ字状の傾斜部２４ｂと、陸屋根１２の下地層１２ｂ上に固定される板状の下部固定端２４ｃと、各部２４ａ、２４ｂ、２４ｃ間に一体に接続されている連結片部２４ｄ、２４ｄとからなる。
【００７２】
この連結片部２４ｄ、２４ｄのうち、上部固定端２４ａの底部から延出された連結片部２４ｄは、傾斜部２４ｂの傾斜方向に沿うように湾曲されて、傾斜部２４ｂの底部に一体に接続されている。
【００７３】
また、傾斜部２４ｂの底部から延出された連結片部２４ｄは、下部固定端２４ｃの側面に向けて湾曲されて一体に接続されている。
【００７４】
尚、この連結片部２４ｄ、２４ｄは、トラス受金具２４の傾斜部２４ｂの傾斜角を変更できるように、適宜変形させることができる。
【００７５】
他方、上部固定端２４ａの凹部側底面には、その底面部を板厚方向に貫通する図示しない孔が複数形成されている。
【００７６】
また、上部固定端２４ａの凹部側底面の両側から上方に立ち上がるように延出された板状の側壁には、その上縁部に沿って側壁を貫通する複数の孔がそれぞれ設けられている。
【００７７】
さらに、下部固定端２４ｃの略中央には、下部固定端２４ｃを板厚方向に貫通する孔が形成されている。
【００７８】
一方、図１に示すように、トラス受金具２４、２４の間には調整手段としての柱状の束２５が、陸屋根１２の下地層１２ｂ上に固定された束金具２５ａ、２５ａを介して立設されている。
【００７９】
また、この束２５の上縁部には調整手段としての大引２６、２６が設けられ、この大引２６、２６により下部水平梁１３ｃ、１３ｃに固定されたトラス受金具２４、２４の上端部である上部固定端（図３（ｂ）の２４ａ、２４ａ）が支持されている。
【００８０】
次に、本発明の実施の形態に係る陸屋根建物の屋根改修構造１０を構築するための屋根改修方法を説明する。
【００８１】
尚、以降の屋根改修方法の説明において、屋根改修構造１０の新設屋根１３の部分トラス構造体１３ｂ、１３ｂやパラペット部１２ｃ、１２ｃなどの対称な構造となる部分の説明に関しては、対になる対称構造の一方の構造のみを説明して他方の説明に関しては省略する。
【００８２】
本発明の実施の形態に係る陸屋根建物の屋根改修構造１０の改修工事はコンクリートを使用しない乾式工事によって行なわれるものである。
【００８３】
また、本発明の実施の形態に係る陸屋根建物の屋根改修構造１０の改修工事は、既存の建物１１に住人がいる状態で行われるため、施工時の搬送路や揚上重機の大きさなどに制限がある。
【００８４】
従って、新設屋根１３の骨組み構造としてのトラス構造体１３ａは、手運搬、クレーンによる揚上などに対応できるように予め工場において２つの部分トラス構造体１３ｂ、１３ｂに分割される。
【００８５】
まず、図４に示すように、改修現場において、パラペット部１２ｃの頭部１２ｄに被覆された防水層１５にコンクリートプラグ２７（以下、プラグ２７）を挿入するための孔３１を形成する。
【００８６】
この孔３１は、頭部１２ｄの傾斜する上端面に被覆された防水層１５の略中央位置にパラペット部１２ｃ内部に達するように形成され、さらに、その孔３１内にプラグ２７が挿入され、接着剤等により固定される。
【００８７】
そして、防水層１５とパラペット部１２ｃとに形成された孔３１とパラペット金具１６の底面部に設けられた孔とを重合させるようにパラペット金具１６を防水層１５上に設置する。
【００８８】
さらに、固定ビス２８を孔に挿通して、プラグ２７に螺合させることによりパラペット金具１６をパラペット部１２ｃ上に固定する。
【００８９】
尚、このパラペット金具１６は、パラペット部１２ｃの先端面上に図４の紙面に直交する建物１１の奥行き方向に対して複数設けられるようになっている。
【００９０】
また、このパラペット金具１６の建物１１の奥行き方向の設置間隔は４５０〜６００ｍｍの間隔で設けられる。
【００９１】
次に、陸屋根１２上の所定位置に防水シート１４と下地層１２ｂを貫通して屋根スラブ１２ａの内部に達する孔３０、３０を建物１１の水平方向に所定の間隔で形成する。
【００９２】
そして、この孔３０、３０にプラグ２７、２７を挿通して、接着剤等で屋根スラブ１２ａに固定する。
【００９３】
次に、束２５の下端側の対向する両側縁部に断面略Ｌ字状の束金具２５ａ、２５ａの一端部をそれぞれ釘又はビスにより固定する。
【００９４】
また、束金具２５ａ、２５ａの他端部に形成された孔（図示せず）に固定ビス２８、２８をそれぞれ挿通して孔３０、３０のプラグ２７、２７に螺合させることにより、束金具２５ａ、２５ａの他端部を下地層１２ｂ上に固定する。これにより、束２５は下地層１２ｂ上に立設される。
【００９５】
尚、束２５の立設に際して、図５に示すように、束２５の下端側の一方の側縁部に固定される束金具２５ａの位置を、他方の側縁部に固定される束金具２５ａの位置よりも間隔ｈ分だけ高くすることで、下地層１２ｂの傾斜面上において束２５を建物１１の水平方向に垂直に立設することが好ましい。
【００９６】
次に、束２５の上端側の対向する両側縁部に断面矩形状の大引２６、２６を釘又はビスにより固定する。
【００９７】
この大引２６、２６は、図６に示すように、トラス受金具２４、２４の上部固定端２４ａ、２４ａが大引２６、２６の上端面上に設置された際に、この上部固定端２４ａの凹部側底面がパラペット金具１６の凹部側底面の外側角部と同じ高さＬになるように固定される。
【００９８】
次に、トラス受金具２４、２４の上部固定端２４ａ、２４ａを大引２６、２６の上端面上にそれぞれ釘又はビスなどにより固定する。
【００９９】
さらに、下部固定端２４ｃ、２４ｃに形成された孔（図示せず）に固定ビス２８、２８をそれぞれ挿通して、予め形成された孔３０、３０内のプラグ２７、２７に螺合させることによりトラス受金具２４、２４の下部固定端２４ｃ、２４ｃを下地層１２ｂ上に固定する。
【０１００】
ところで、陸屋根１２上は下地層１２ｂの傾斜などにより平坦に形成されていないが、トラス受金具２４、２４の傾斜部２４ｂ、２４ｂの長手方向の長さを適宜変更したり、連結片部２４ｄ、・・・を適宜変形させることにより、陸屋根１２上にトラス受金具２４、２４を固定した際に、傾斜部２４ｂ、２４ｂをそれぞれ所望の角度で設けることができる。
【０１０１】
尚、陸屋根１２上に固定した際、トラス受金具２４、２４は、その傾斜部２４ｂ、２４ｂの下部水平梁１３ｃ、１３ｃに対する傾斜角が４５度若しくは４５度以下になるように設けられるのが好ましく、このような傾斜具合であれば、新設屋根１３に加わる水平力をトラス受金具２４、２４を介して支障なく屋根スラブ１２ａに伝えることができる。
【０１０２】
また、改修工事時において、束２５と大引き２６、２６は、トラス受金具２４、２４の高さ調整やトラス受金具２４、２４を一時的に支持する、いわゆる冶具的な役割を果たしている。
【０１０３】
さらに、改修工事完了時には、束２５と大引き２６、２６の冶具的な役割を外して、新設屋根１３からトラス受金具２４、２４に加えられる鉛直方向の荷重に対して、トラス受金具２４、２４が弾性領域で撓む程度に支持する機能をもたせることが好ましい。
【０１０４】
即ち、新設屋根１３から陸屋根１２に加わる鉛直荷重は、トラス受金具２４、２４とパラペット部１２ｃ、１２ｃとに作用することになるが、パラペット部１２ｃ、１２ｃと下部水平梁１３ｃ、１３ｃとはパラペット金具１６、１６を介して連結されるので、下部水平梁１３ｃ、１３ｃは鉛直荷重に対して移動することなく拘束される。
【０１０５】
これに対して、トラス受金具２４、２４は鉛直荷重が作用すると撓んでその荷重を逃がすことができるので、陸屋根１２に加わる鉛直荷重を主にパラペット部１２ｃ、１２ｃで支持させることができる。
【０１０６】
次に、図７に示すように、予め工場で組み立てられ、工場から改修現場に輸送された新設屋根１３の部分トラス構造体１３ｂ、１３ｂを陸屋根１２上に設置する。
【０１０７】
この際、部分トラス構造体１３ｂ、１３ｂは、その下部水平梁１３ｃ、１３ｃの下面がそれぞれ、パラペット金具１６の凹部側底面の角部に当接し、且つトラス受金具２４、２４の上部固定端２４ａ、２４ａの凹部側底面に当接するようにそれぞれ設置される。
【０１０８】
次に、部分トラス構造体１３ｂ、１３ｂが設置された状態で、パラペット金具１６の底面部の両側から立ち上がる側壁に形成されたそれぞれの孔と、下部水平梁１３ｃとに設けられた孔とに、ボルトを挿通してナットで締結することにより新設屋根１３とパラペット金具１６とをボルト接合により連結固定する。
【０１０９】
次に、トラス受金具２４、２４の上部固定端２４ａ、２４ａの底面部の両側から立ち上がる側壁に形成されたそれぞれの孔と下部水平梁１３ｃに予め形成された孔とにボルトを挿通してナットで締結することにより新設屋根１３と上部固定端２４ａ、２４ａとを連結固定する。
【０１１０】
そして、部分トラス構造体１３ｂ、１３ｂの傾斜材１３ｄ、１３ｄが互いに長手方向で隣接する内側縁部の両側面に跨って連結プレート３２（３２）を設けて、その連結プレートを傾斜材１３ｄ、１３ｄに対してビス止めすることにより傾斜材１３ｄ、１３ｄ同士を連結する。
【０１１１】
また、下部水平梁１３ｃ、１３ｃの長手方向の隣接する内側縁部と、鉛直材１３ｅ、１３ｅの下端縁部と、腹材１３ｆ、１３ｆの一端縁部との両側面に跨って連結プレート３２（３２）を設けてビス止めすることにより、それぞれの部材同士を連結する。これにより、部分トラス構造体１３ｂ、１３ｂが一体化されたトラス構造体１３ａとなる。
【０１１２】
ところで、パラペット金具１６とトラス受金具２４、２４とは陸屋根１２上にそれぞれ、図７の紙面に直交する建物１１の奥行き方向に所定間隔（４５０〜６００ｍｍ）で設けられるようになっている。
【０１１３】
従って、工場から輸送された部分トラス構造体１３ｂ、・・・が順次設置されると、各トラス構造体１３ａ、・・・の長手方向が平行に揃い且つそれぞれのトラス構造体１３ａ、・・・間が所定間隔（４５０〜６００ｍｍ）で陸屋根１２上に並設されるようになっている（図２を参照）。
【０１１４】
尚、部分トラス構造体１３ｂ、・・・を含む新設屋根１３の骨組み構造の構築はツーバイフォー工法の施工基準に準じて行われる。
【０１１５】
次に、図８に示すように、部分トラス構造体１３ｂ、・・・などの骨組み構造が陸屋根１２上に設けられた後、部分トラス構造体１３ｂ、・・・に屋根工事を施して下地板１９、鼻隠し２２、樋２３、及び瓦を取付けてゆく。
【０１１６】
また、下部水平梁１３ｃの外壁１１ａから建物１１の外側に突出する軒部分に、保持部材２１、２１を介して軒天２０を取付けると共に、軒天２０の外壁１１ａ側端部と外壁１１ａとの間に換気用の隙間ｄを設ける。
【０１１７】
さらに、新設屋根１３と陸屋根１２との間の屋根裏空間２９を乾燥させると共に、パラペット部１２ｃ、１２ｃの内側面に沿って立ち上がる防水シート１４の縁部に沿うように断熱材１７を設ける。
【０１１８】
そして、断熱材１７よりも内側に断熱材であるグラスウールを敷設することにより断熱層１８を防水シート１４上から所定厚さを有するように形成する。
【０１１９】
以上のような改修工程により、陸屋根建物の屋根改修構造１０の改修工事が完了する。
【０１２０】
次に、本発明の実施の形態に係る陸屋根建物の屋根改修構造１０の作用を説明する。
【０１２１】
上記実施の形態に係る陸屋根建物の屋根改修構造１０によれば、トラス受金具２４、２４を新設屋根１３と陸屋根１２との間に設けて下部水平梁１３ｃ、１３ｃを支持させると共に、下部水平梁１３ｃ、１３ｃと連結支持部材であるパラペット金具１６、１６とを連結固定している。
【０１２２】
これにより、新設屋根１３の水平方向に対して荷重が加えられて、下部水平梁１３ｃ、１３ｃに水平力が作用するとパラペット金具１６、１６が水平方向に移動しようとするが、トラス受金具２４、２４によって下部水平梁１３ｃ、１３ｃの移動が拘束されているので、パラペット部１２ｃ、１２ｃに殆ど水平力を作用させないようにすることができる。
【０１２３】
即ち、パラペット部１２ｃ、１２ｃに加わる水平力は軽減されるので、元々、新設屋根１３を設置することを想定していない陸屋根１２のパラペット部１２ｃ、１２ｃを補強することなく、工期の短縮、及び低コストの施工が可能となる。
【０１２４】
一方、新設屋根１３の骨組み構造となる複数のトラス構造体１３ａ、・・・をそれぞれ所定の間隔（４５０〜６００ｍｍ）で陸屋根１２上に並設することにより、トラス構造体１３ａ、・・・の各下部水平梁に加わる水平力をトラス受金具を介して陸屋根１２に分散させて伝えることができる。
【０１２５】
これにより、各トラス構造体１３ａ、・・・を支持するトラス受金具やパラペット金具の支持負担を軽減することができる。
【０１２６】
他方、建物１１の既存の陸屋根１２上に新設屋根１３を設置するので、建物１１の外観品質を改善することができる。
【０１２７】
また、新設屋根１３の設置工事はコンクリートを使用せず全て乾式工事によって行うので、低コストの施工が可能である。
【０１２８】
さらに、新設屋根１３を陸屋根１２上に設置した状態で建物１１の外壁１１ａ、１１ａから突出する軒部分を形成することにより、既存の陸屋根１２部分に雨水が入りにくく、防水性が改善されると共に、建物１１全体の防水性も改善される。
【０１２９】
しかも、新設屋根１３の下部水平梁１３ｃ、１３ｃをパラペット部１２ｃ、１２ｃから建物１１の外側に突出して設けることにより、その突出する軒部分において新設屋根１３内などの空気の排気と外気の吸気を行うことができ、新設屋根１３内と、既存の陸屋根１２と新設屋根１３との間の屋根裏空間２９とを良好に換気することができる。
【０１３０】
また、束２５に取り付ける大引２６、２６の位置若しくは束２５と束金具２５ａ、２５ａとの間の取り付け位置を適宜変更して、トラス構造体１３ａの支持するトラス受金具２４、２４の上部固定端２４ａ、２４ａの高さを調整することにより、トラス構造体１３ａを設置する前に予めトラス構造体１３ａの配置高さの位置出しをすることができる。
【０１３１】
さらに、トラス受金具２４、２４の上部固定端２４ａ、２４ａの高さ位置を、下部水平梁１３ｃ、１３ｃの下面とパラペット金具１６、１６の凹部側底面の外側角部とが接触する位置に合わせることもできるので、容易にトラス構造体１３ａの配置高さの位置出しをすることができる。
【０１３２】
また、新設屋根１３の骨組み構造となる一つのトラス構造体１３ａを部分トラス構造体１３ｂ、１３ｂに分割して、小さく軽量化するので、既存の建物１１に住人がいる状態で行われる改修工事においてトラス構造体１３ａなどを搬入する搬入路や揚上重機などの大きさが制限されても、その制限内で容易に施工を行うことができる。
【０１３３】
さらに、改修後の陸屋根１２の下地層１２ｂ上には、グラスウールの断熱層１８が形成されるので、新設屋根１３に照射される太陽光の熱が、屋根裏空間２９から建物１１の居室内に伝わらないようにすることができる。
【実施例１】
【０１３４】
上記実施の形態においては、新設屋根１３はパラペット部１２ｃ、１２ｃが形成された既存の建物１１の陸屋根１２上に配置されているが、これに限定されるものではなく、図９に示すように、庇１２０ｃ、１２０ｃが形成された既存の建物１１０の陸屋根１２０上に新設屋根１３を配置した屋根改修構造１００であってもよい。
【０１３５】
この屋根改修構造１００においては、既存の建物１１０の陸屋根１２０の両側縁部に外壁１１０ａ、１１０ａから外側に向けて水平に張り出すように庇１２０ｃ、１２０ｃが延出されている。
【０１３６】
このような構造を有する既存建物１１０の陸屋根１２０上には、新設屋根１３が陸屋根１２０の屋根スラブ１２０ａ面上に配置される。
【０１３７】
そして、新設屋根１３の骨組み構造である部分トラス構造体１３ｂ、１３ｂの下部水平梁１３ｃ、１３ｃが、パラペット金具１６と略同一形状を有する連結支持部材としての連結部材１６０、・・・を介して陸屋根１２０と連結される。
【０１３８】
また、この連結部材１６０、・・・は、建物１１０の外壁１１０ａ、１１０ａによって支持される陸屋根１２０の被支持部分１２０ｄ、１２０ｄの上面と、部分トラス構造体１３ｂ、１３ｂの境界付近に位置する屋根スラブ１２０ａ上面とに設けられている。
【０１３９】
即ち、新設屋根１３から陸屋根１２０に加わる荷重は、連結部材１６０、・・・を介して鉛直方向に対する荷重に強い被支持部分１２０ｄ、１２０ｄと、水平方向に対する荷重に強い屋根スラブ１２０ａとに支持される。
【０１４０】
従って、新設屋根１３から陸屋根１２０に加わる鉛直方向の荷重を主に被支持部分１２０ｄ、１２０ｄにより支持して、屋根スラブ１２０ａの鉛直方向に加わる荷重を軽減することができるので、既存の陸屋根１２への負担を最小限に抑えることができる。
【０１４１】
一方、屋根に屋根勾配や屋根保護材が設けられ、屋根面が平坦でない陸屋根建物も数多く存在している。このような陸屋根の屋根面上に同じ高さとなるように複数の連結部材１６０、・・・を配置することは困難であり、各部分トラス構造体の設置高さなどにバラツキが生じてしまう場合がある。
【０１４２】
従って、このような陸屋根建物に対しては、図１０に示すように、庇１２１ｃ、１２１ｃが形成された既存の建物１１１の陸屋根１２１上に束２５と大引２６、２６とを用いて連結部材１６０を配置して、部分構造体としての異形トラス構造体１３０ｂ、１３０ｂを陸屋根１２１上に設置するようにしてもよい。
【０１４３】
即ち、異形トラス構造体１３０ｂ、１３０ｂを陸屋根１２１上に設置する前に、予め屋根スラブ１２１ａの略中央位置に束２５を立設して、その束２５の上端側の対向する両側縁部に大引２６、２６を固定すると共に、大引２６、２６の上端面に連結部材１６０を固定しておく。
【０１４４】
また、予め建物１１１の外壁１１１ａ、１１１ａによって支持される陸屋根１２１の被支持部分１２１ｄ、１２１ｄの上面に連結部材１６０、１６０を固定しておく。
【０１４５】
そして、陸屋根１２１上に異形トラス構造体１３０ｂ、１３０ｂをそれぞれ設置して屋根スラブ１２１ａ上に配置された連結部材１６０、・・・により異形トラス構造体１３０ｂ、１３０ｂを連結固定する。
【０１４６】
このように、屋根面が平坦でない陸屋根１２１上においても、束２５や大引２６、２６の固定位置などを適宜変更しながら連結部材１６０を配置することで、連結部材１６０の配置位置や配置高さなどの精度を良くすることができる。
【０１４７】
これにより、異形トラス構造体１３０ｂ、１３０ｂを陸屋根１２１上に設置する際の設置高さなどの精度を良くすることができる。
【０１４８】
尚、この異形トラス構造体１３０ｂ、１３０ｂの傾斜材１３０ｄ、１３０ｄが互いに長手方向で隣接する内側縁部の両側面は、その側面に跨って設けられた連結プレート３２（３２）により、ビス止め固定されている。
【０１４９】
また、異形トラス構造体１３０ｂ、１３０ｂには、それぞれの頂部側に向けて傾斜する下部梁としての下部傾斜梁１３０ｇ、１３０ｇが備えられ、その互いに長手方向で隣接する内側縁部の両側面が連結部材１６０により連結固定されることにより、異形トラス構造体１３０ｂ、１３０ｂ同士が一体化されるようになっている。
【０１５０】
さらに、異形トラス構造体１３０ｂ、１３０ｂの裾部分に備えられた下部梁としての部分水平梁１３０ｃ、１３０ｃの長手方向の内側縁部と下部傾斜梁１３０ｇ、１３０ｇの長手方向の外側縁部とは、被支持部分１２１ｄ、１２１ｄの上面に固定された連結部材１６０、１６０を介して連結固定されている。
【０１５１】
この被支持部分１２１ｄ、１２１ｄの上面に固定された連結部材１６０、１６０は、異形トラス構造体１３０ｂ、１３０ｂを介して加わる水平方向と鉛直方向の荷重の双方を受けることとなる。
【０１５２】
他方、異形トラス構造体１３０ｂ、１３０ｂの下部傾斜梁１３０ｇ、１３０ｇの下面と陸屋根１２１の屋根スラブ１２１ａの上面との間の間隔が狭く、束２５を設けることができない場合もある。このような場合には、束２５を設けずに屋根スラブ１２１ａ上に大引２６を固定する金具（図示省略）設置して、大引２６上に連結部材１６０を固定すればよい。
【０１５３】
尚、大引２６、２６の固定は、大引２６、２６の上端面を連結部材１６０の上縁から突出させ、且つ大引２６、２６のそれぞれの上端面が同じ高さになるように適宜固定される。そして、下部傾斜梁１３０ｇ、１３０ｇに連結固定される連結部材１６０の下面を大引２６、２６の上端面に固定させる。
【実施例２】
【０１５４】
上記実施の形態においては、陸屋根１２のパラペット部１２ｃ、１２ｃと新設屋根１３の下部水平梁１３ｃ、１３ｃとは、単にパラペット金具１６、１６により連結されているが、これに限定されるものではなく、図１１に示すように、連結支持部材としてのパラペット金具２２４が新設屋根１３とパラペット部１２ｃとの間に設けられた屋根改修構造２００であってもよい。
【０１５５】
このパラペット金具２２４は、上記実施の形態のトラス受金具２４と略同一の形状を有しており、上部固定端２２４ａ、傾斜部２２４ｂ、及び下部固定端２２４ｃとからなる。
【０１５６】
この上部固定端２２４ａの底面部はパラペット部１２ｃの先端面上に防水層１５を挟んで固定されている。
【０１５７】
また、上部固定端２２４ａの底面部の両側から上方に延出された板状の側壁と下部水平梁１３ｃとはボルト接合により連結されている。
【０１５８】
さらに、下部固定端２２４ｃは、屋根スラブ１２ａに下地層１２ｂを間に挟んで固定されている。
【０１５９】
従って、上部固定端２２４ａに下部水平梁１３ｃから水平方向の荷重が加えられても、その水平力は上部固定端２２４ａから傾斜部２２４ｂを伝って屋根スラブ１２ａに伝えられるので、パラペット部１２ｃに加わる水平力を軽減することができる。
【実施例３】
【０１６０】
上記実施の形態に係る傾斜部材としてのトラス受金具２４、２４は、それぞれ部分トラス構造体１３ｂ、１３ｂを支持しているが、図１２に示すように、トラス受金具の上部固定端を一体化して、下部水平梁１３ｃ、１３ｃの双方に跨るようにした略放物線状のトラス受金具３２４であってもよい。
【０１６１】
このトラス受金具３２４の上部固定端３２４ａは、下部水平梁１３ｃ、１３ｃの長手方向のそれぞれの内側縁部に跨るように固定されている。
【０１６２】
従って、この上部固定端３２４ａにより下部水平梁１３ｃ、１３ｃ同士が連結されるので上記実施の形態のように別途、連結プレートを用いて部分トラス構造体１３ｂ、１３ｂ同士を連結する必要がなく、施工性が良い。
【０１６３】
以上、図面を参照して、本発明の実施の形態を詳述してきたが、具体的な構成は、この実施の形態に限らず、本発明の要旨を逸脱しない程度の設計的変更は、本発明に含まれる。
【０１６４】
例えば、上記実施の形態に係る屋根改修構造１０において、部分トラス構造体１３ｂ、１３ｂの下部水平梁１３ｃ、１３ｃは、その下面がパラペット金具１６、１６の凹部側底面の外側角部と接触するように設置されているが、これに限定されるものではなく、パラペット金具１６、１６の凹部側底面から上方に突出する固定ビス２８、２８の頭部分の突起量を適宜調整して下部水平梁１３ｃ、１３ｃの下面と接触させて位置合わせしてもよい。
【０１６５】
また、軒天２０、２０の外壁１１ａ、１１ａ側の端部と外壁１１ａ、１１ａとの間に換気用の隙間ｄ、ｄを設けて新設屋根１３内などの換気を行うようにしているが、これに限定されるものではなく、例えば、板厚方向を貫通する孔が複数形成された板状の軒天を新設屋根１３の軒部分に設けて換気を行なうようにしてもよい。
【０１６６】
さらに、新設屋根１３の骨組み構造であるトラス構造体１３ａは２つの部分トラス構造体１３ｂ、１３ｂに分割されているが、これに限定されるものではなく、新設屋根１３の耐力や輸送制限、若しくは改修工事時の施工性に応じて２つ以上の部分構造体に分割してもよいし、一体のものを使用してもよい。
【０１６７】
また、新設屋根１３の骨組み構造であるトラス構造体１３ａの下部水平梁１３ｃ、１３ｃなどの部材を軽量鉄骨部材にしてもよい。
【０１６８】
さらに、上記実施の形態に係る屋根改修構造１０においては、調整手段である束２５に調整手段である大引２６、２６を取付けることにより束２５の高さ調整をしているが、これに限定されるものではなく、例えば、束自体を複数の部材に分割して各部材を所望の高さに合わせて接続したものを用いてもよい。
【０１６９】
また、束２５の高さ位置の調整手段として大引２６を用いているが、束金具２５ａ、２５ａと束２５の固定位置を調整することにより束２５の高さ位置の調整を行ってもよい。
【０１７０】
さらに、上記実施の形態においては、トラス受金具２４、２４の上部固定端２４ａ、２４ａの高さ位置を、下部水平梁１３ｃ、１３ｃの下面とパラペット金具１６、１６の凹部側底面の外側角部とが接触する位置に合わせることでトラス構造体１３ａの配置高さを位置出ししているが、予め位置出しされた高さ位置を基準にして、パラペット金具１６、１６とトラス受金具２４、２４とを調整しながら設置して、トラス構造体１３ａの配置高さを位置出ししてもよい。
【０１７１】
また、上記実施の形態に係る連結支持部材としてパラペット金具１６、１６を用いたが、これに限定されるものではなく、図１３に示すようなローラピン支承部材３３により新設屋根とパラペット部とを連結する構造にしてもよい。
【０１７２】
このローラピン支承部材３３には、ピン支承部３３ａが設けられていると共に、このピン支承部３３ａの下部にローラ移動部３３ｂが設けられている。
【０１７３】
このピン支承部３３ａは、ピン３３ｃを境にして上下方向側に軸支された略三角形状の支承部材が互いに相対回転可能になっている。
【０１７４】
また、このローラ移動部３３ｂは、ピン支承部３３ａの底板部とローラピン支承部材３３の底板との間に複数のローラ３３ｄ、・・・が挿入されており、ピン支承部３３ａが水平方向に沿って移動可能になっている。
【０１７５】
従って、ローラ移動部３３ｂによるピン支承部３３ａの移動により、下部水平梁に加わる水平力が直接パラペット部に加わらないようにすることができる。
【０１７６】
さらに、上記実施の形態に係るパラペット金具１６、１６と下部水平梁１３ｃ、１３ｃとはピン接合により連結されていてもよい。
【図面の簡単な説明】
【０１７７】
【図１】本発明の実施の形態に係る屋根改修構造の構成を示す断面図である。
【図２】本発明の実施の形態に係る屋根改修構造においてトラス構造体の配置構成を示す説明図である。
【図３】（ａ）は本発明の実施の形態に係るパラペット金具の構造を示す斜視図であり、（ｂ）は本発明の実施の形態に係るトラス受金具の構造を示す斜視図である。
【図４】本発明の実施の形態に係る屋根改修構造を形成する改修作業時において陸屋根上にパラペット金具と束とを設けた状態を示す説明図である。
【図５】本発明の実施の形態に係る屋根改修構造を形成する改修作業時において陸屋根上の束に大引を設けた状態を示す説明図である。
【図６】本発明の実施の形態に係る屋根改修構造を形成する改修作業時において陸屋根上にトラス受金具を設けた状態を示す説明図である。
【図７】本発明の実施の形態に係る屋根改修構造を形成する改修作業時において陸屋根上に部分トラス構造体を設けた状態を示す説明図である。
【図８】本発明の実施の形態に係る屋根改修構造を形成する改修作業時において各種屋根部材の取付け及びグラスウール敷設状態を示す説明図である。
【図９】本発明の実施例１に係る屋根改修構造の構成を示す断面図である。
【図１０】本発明の実施例１に係る他の屋根改修構造の要部の構成を示す断面図である。
【図１１】本発明の実施例２に係る屋根改修構造において下部水平梁とパラペット部との間にトラス受金具を取り付けた際の構成を示す説明図である。
【図１２】本発明の実施例３に係るトラス受金具が設けられた屋根改修構造の構成を示す説明図である。
【図１３】本発明の他の実施の形態に係るローラピン支承部材の概略構成を示す説明図である。
【図１４】従来技術に係る屋根改修構造の概略構成を示す説明図である。
【符号の説明】
【０１７８】
１０、１００、２００      屋根改修構造
１１、１１０、１１１      建物
１２、１２０、１２１      陸屋根
１２ｃ                    パラペット部（被支持部分としての突出壁部）
１３                      新設屋根
１３ａ                    トラス構造体（構造体）
１３ｂ                    部分トラス構造体（部分構造体）
１３０ｂ                  異形トラス構造体（部分構造体）
１３ｃ                    下部水平梁（下部梁）
１６、２２４              パラペット金具（連結支持部材）
２４、３２４              トラス受金具（傾斜部材）
２５                      束（調整手段）
２６                      大引（調整手段）
３３                      ローラピン支承部材（連結支持部材）
１２０ｄ、１２１ｄ        被支持部分
１３０ｃ                  部分水平梁（下部梁）
１３０ｇ                  下部傾斜梁（下部梁）
１６０                    連結金具（連結支持部材）
【図１】
0004847153.tif 000002
【図２】
0004847153.tif 000003
【図３】
0004847153.tif 000004
【図４】
0004847153.tif 000005
【図５】
0004847153.tif 000006
【図６】
0004847153.tif 000007
【図７】
0004847153.tif 000008
【図８】
0004847153.tif 000009
【図９】
0004847153.tif 000010
【図１０】
0004847153.tif 000011
【図１１】
0004847153.tif 000012
【図１２】
0004847153.tif 000013
【図１３】
0004847153.tif 000014
【図１４】
0004847153.tif 000015